(57)【要約】【課題】  ドラム洗濯機において、特にキャビネット内部にタブ及びドラムを傾斜して設置し、傾斜したドラムだけ洗濯用水を給水して全体洗濯行程を遂行できるようにしたモノタブドラム洗濯機を提供する。【解決手段】  前方にドア１０８が設置されてその内部に傾斜したタブ１０２が一体的に形成されたキャビネット１０１と、タブ内に傾斜するように設置されて給水された洗濯水で洗濯及び脱水行程を遂行するドラム１０３と、ドラムの後方に軸連結されてモーターの駆動力をドラムに伝逹するドラム軸と、タブの外側でキャビネットに連結されてドラムを支持する上側及び下側緩衝支持手段１１０，１１１，１１２とを有する。【選択図】      図４
2005000658.tif 000002
【特許請求の範囲】
【請求項１】
前方にドアが設置されてその内部に傾斜したタブが一体的に形成されたキャビネットと、
前記タブの内側に傾斜するように設置されて、給水された洗濯水で洗濯及び脱水行程を遂行するドラムと、
前記ドラムの後方に連結されてモーターの駆動力をドラムに伝逹するドラム軸と、
前記タブの外側でキャビネットに連結されて前記ドラムを支持する上側及び下側緩衝支持手段とを具備することを特徴とするモノタブドラム洗濯機。
【請求項２】
前記ドラムは、給水された洗濯水を洗濯及び脱水行程時のドラムの遠心力によって流出するように前記ドラムの前側周囲面に適正間隔で加工された多数の流出口を有することを特徴とする請求項１に記載のモノタブドラム洗濯機。
【請求項３】
前記ドラムの前側周囲には前記ドラムの振動低減のための流体チェンバーを有することを特徴とする請求項１に記載のモノタブドラム洗濯機。
【請求項４】
前記ドラムの後方においてモーターと連結されたドラム軸を支持するためのベアリングと、前記ベアリングの位置へ前記タブと前記ドラム軸との間から水が侵入しないようにベルローズ(ｂｅｌｌｏｗｓ)型のシール部材とが配置されたことを特徴とする請求項１に記載のモノタブドラム洗濯機。
【請求項５】
前記緩衝支持手段は、前記モーターと前記ドラム軸とを支持するように前記タブの後方に前記タブと相対運動可能になるようにＸ字形に取り付けられた複数個のＵフレームと、前記Ｕフレームの各端部と前記キャビネットとの間に配置されたスプリング及びダンパーとを有することを特徴とする請求項１に記載のモノタブドラム洗濯機。
【請求項６】
前記キャビネット内の前記ドラム及び前記タブは地面に対して約20から30度で傾斜することを特徴とする請求項１に記載のモノタブドラム洗濯機。
【請求項７】
前方にドアが設置されてその内部に傾斜したタブが一体的に形成されたキャビネットと、
前記タブの内側に傾斜するように設置されて、給水された洗濯水で洗濯及び脱水行程を遂行するドラムと、
前記ドラムに給水された洗濯水を洗濯及び脱水行程時の前記ドラムの遠心力によって流出させるように前記ドラムの前側周囲面に適正間隔で加工された多数の流出口と、
前記ドラムの後方に連結されてモーターの駆動力をドラムに伝逹するドラム軸と、
前記タブの外側で垂直にキャビネットに連結されて前記ドラムを支持する上側及び下側緩衝支持手段と、
前記タブの下端の排水口に設置されて、前記流出口を通じて前記タブ及び前記ドラムの間の流路を経て前記排水口から排出される洗濯水によって電気的に通電される電極センサーと、
前記電極センサーによる電気的な通電により前記ドラム内の洗濯水位を判断して、洗濯行程を制御する制御部とを有することを特徴とするモノタブドラム洗濯機。
【請求項８】
傾斜したドラム内にだけ給水する段階と、
前記ドラムに給水された洗濯水が一定水位以上になって前記ドラムの前側に位置した流出口を通して溢れると、前記ドラム及び前記タブの間の流路を流れる洗濯水により電気的に通電される電極センサーによって水位を感知する段階と、
前記電極センサーの通電可否を制御部で感知して給水を中止して洗濯行程を進行する段階とを有することを特徴とするモノタブドラム洗濯機の洗濯制御方法。
【発明の詳細な説明】
【技術分野】
【０００１】
本発明は、ドラム洗濯機において、特にキャビネット内部にタブ及びドラムを傾斜するように設置して、傾斜したドラムにだけ洗濯用水を給水して全体行程を遂行するようにしたモノタブドラム洗濯機及びその洗濯制御方法に関する。
【背景技術】
【０００２】
一般的に洗濯機は、機械の力を利用して衣類を洗濯する装置として、主に電動機を主動力とし、洗剤と水を利用して衣服に付いている汚れを引き離すように洗濯、濯ぎ、脱水の行程を進むこととなる。特に、ドラム式洗濯機は、多くの突出部が形成されているドラム内に水と洗剤及び洗濯物を入れて水平軸線回りに低速回転させて洗濯物が突出部によって持ち上げられて落ちる衝撃を利用して洗濯されることで洗濯の損傷が殆どなく水を少なく使用することができる特徴を持っている。
【０００３】
従来の一般的なドラム式洗濯機が図１に図示されている。
一般的にドラム式洗濯機は、図１に示したように、骨格を成すキャビネット(cabinet)(1)と、キャビネット(1)内に水平に設置されて洗濯水を貯水するタブ(2)と、前記タブ(2)の内側に回転可能に設置されて洗濯物が投入されるドラム(3)と、前記タブ(2)の後方又は下方のモーター(6)で発生される駆動力をドラム(3)に伝逹するドラム軸(4)と、前記ドラム軸(4)の両端部回りに設置されるベアリング(5)と、前記タブ(2)を支持するスプリング(７)と、前記キャビネット(1)の下方において脱水時に発生するタブ(2)の振動を減少させるためのダンパー(8)と、キャビネットの前方に設置されたドア(9)と、ドア(9)とタブ(2)との間に設置されたガスケット(10)と、前記タブ(2)の底部に形成された排水口(11)と排水ポンプ(13)とを接続する排水ホース(12)とを有している。
【０００４】
このような従来ドラム式洗濯機の動作は、添付された図面を参照して以下に説明される。
図１を参照すれば、キャビネット(1)内にはタブ(2)及びドラム(3)が所定隙間を持って平行に設置されて、前面にはドア(9)が開閉されるように設置される。
【０００５】
ドア(9)を開放した後にドラム(3)内に洗濯物を投入して、ドア(9)を閉めた後に洗濯物の重量に応じて適正量の洗剤を洗剤箱に入れて給水口を開放すると、洗剤と一緒に洗濯用水はタブ(2)内に流入される。この時に、タブ(2)に流入される洗濯用水はドラム(3)とその外郭のタブ(2)との間を通じて一定の水位まで給水される。
【０００６】
その後、タブ(2)の底に設置されたヒーターには電力が印加されて洗濯用水を予め定めた温度まで加熱させる。
【０００７】
そして、モーター(6)が駆動されれば、モーターの駆動力がドラム軸(4)及びベアリング(5)を通じてドラム(3)に伝逹されてドラムを回転させる。ここで、モーター(6)が直結式である場合にはタブ後方に設置され、ベルト駆動式である場合には通常タブ下方に設置される。
【０００８】
ドラム(3)が回転することによってドラム内の洗濯物はドラム(3)のリフター(Lifter)(未図示)によって転がりながら持ち上げられて落とされる。この時、ドラム(3)内に溜まっている暖かい洗濯用水がドラム(3)内面に沿って流れて、すべての洗濯物をもれなく濡らすようになる。
【０００９】
このように洗濯物がもれなく濡らされれば、洗濯動作が開始される。このようなドラム洗濯機は、ドラム(3)内面のリフターによって洗濯物との摩擦力が増大され、暖かい洗濯用水によって洗剤を活性化させるので洗濯効果が向上するようになる。
【００１０】
このように洗濯及び濯ぎを遂行して、洗濯及び濯ぎが完了した後にはタブ下方に形成された排水口(11)に接続された排水ホース(12)を通して洗濯及び濯ぎ行程で使用された洗濯水がポンプ(13)によって外部へ排出される。そして、ドラム(3)が再度回転されて洗濯物の脱水を遂行するようになる。
【００１１】
一方、キャビネット(1)の上部とタブ(2)との間に設置されたスプリング(7)は、前記タブ(2)を支持し、キャビネット(1)の下部とタブ(2)との間に設置されたダンパー(8)は、脱水振動時のタブ(2)の振動を減少させる。前記スプリング(7)及びダンパー(8)は、脱水行程を進行する時に、タブ(2)の均衡を安定的に維持するために、タブ(2)に取り付けられた洗濯モーター(6)等の各種付属品を備えた洗濯機の重心の垂直方向に配置されなければならない。
【００１２】
そして、図２に図示されたように、カウンターウェート(14)がタブの入口回りに設置されて、洗濯物の質量が重ければ重いほど洗濯機の振動騒音を効果的に減少させることができる。
【００１３】
前記のように洗濯行程を完了した後、排水ポンプ(13)が駆動されればタブ(2)内の洗濯用水は排水ホース(12)及び排水ポンプ(13)を通じて排水される。そしてタブ(2)上部の給水口を開放して洗濯行程と同じく一定量の洗濯用水を受け入れた後に、ドラム(3)を数分間回転させて排水させる行程を数回に渡って繰り返して濯ぐことを完了する。乾燥装置であるヒーター(未図示)は脱水された洗濯物を乾燥させる。
【００１４】
このように濯ぎと脱水とを完了した後に、ドア(9)を開いてドラム(3)内の洗濯物を取り出して乾燥台に入れて乾燥させる。
【００１５】
一方、図１に図示されたように、タブ(2)内に給水された洗濯水の水位は、排水ホース(12)に接続された圧力ホース(16)を通じて水位感知部(15)に伝逹されることで、水位を感知して制御される。すなわち、水位感知部(15)によってタブ内の給水量が判断されて、これに従って給水装置(未図示)が作動されてタブ(2)に供給される給水量が調節される。
【００１６】
このような水位感知装置は、図１及び図３に図示されたように、タブ(2)の底面に接続された洗濯用水を排水する排水ホース(12)に設置されて、前記排水ホース(12)の上方に水位感知部(15)が圧力ホース(16)で接続された構造である。
【００１７】
そして水位感知部(15)には密閉された空間部を上側及び下側チェンバーに分割する圧力センサー(15a)が設けられ、圧力ホース(16)は、下側チェンバーに連通する第一端部と、前記排水ホース(12)に連通する第二端部とを有する。前記排水ホース(12)及び圧力ホース(16)は、内部を貫通して前記タブ(2)と圧力センサー(15a)の下側チェンバーとを連通している。
【００１８】
それにより、前記タブ(2)に洗濯用水が給水されれば、その一部が排水ホース(12)を介して圧力ホース(16)に流入し、この圧力ホース(16)の上部と圧力センサー(15a)の下側との間の空気が圧縮される。よって、この圧力が前記圧力センサー(15a)に伝逹され、これに応じて洗濯水の給水量を感知する。このような水位感知状態を式で表せば次のようになる。
Ｐs＝Ｐt＋ρｇｈ−Ｐatm
【００１９】
ここで、Ｐsは圧力センサーの下側に加えられる圧力であり、Ｐtはタブ内に存在する圧力であり、Ｐatmは前記圧力センサーの上側に加えられる大気圧である。また、ρは洗濯水の密度、ｇは重力加速度、ｈは洗濯水の高さである。従って、ρｇｈは洗濯水の水頭圧を表す。前記タブ内の圧力は通常大気圧なので圧力センサーでタブ内の水頭圧を検出することができるようになる。
【００２０】
しかし、従来のドラム洗濯機では次のような問題がある。
第一に、キャビネット(1)、タブ(2)、及び、ドラム(3)がそれぞれ分離しており、水平な構造で設置されることで、洗濯時のタブ(2)に水を貯水するための不必要な給水により使用量が増加する問題がある。
【００２１】
第二に、図１及び図２に図示されたように、ドラム(3)の外側面とタブ(2)の内側面との間の隙間(A)、キャビネット(1)の内側面とタブ(2)の外側面との間の隙間(B)が存在するために、洗濯容量に比較してドラム洗濯機のサイズが大きくなる問題がある。
【００２２】
第三に、水平な構造によって脱水時のタブ(2)の剛性確保のためのリブ(15)を受け入れる空間が必要となり、キャビネットサイズが増加する問題がある。
【００２３】
第四に、圧力センサーを使って水位を感知するから圧力感知部の構成要素が複雑となる問題がある。
【発明の開示】
【発明が解決しようとする課題】
【００２４】
本発明の第一目的は、キャビネット内にタブ及びドラムを傾くように配置して、キャビネットに一体的に形成されたタブを有するモノタブドラム洗濯機を提供することである。
【００２５】
本発明の第二目的は、キャビネット内の傾斜したドラムにだけ洗濯用水を給水するようにしたモノタブドラム洗濯機を提供することである。
【００２６】
本発明の第三の目的は、ドラムに給水される洗濯用水が一定水位以上の時又は洗濯及び脱水行程時の遠心力によって前記ドラムの前側に形成された流出口を介して洗濯用水が流出されるようにしたモノタブドラム洗濯機を提供することである。
【００２７】
本発明の第四の目的は、洗濯用水がドラムの前側の流出口から流出された時の電気的接続によって給水を制御するようにしたモノタブドラム洗濯機及びその洗濯制御方法を提供することである。
【００２８】
本発明の第五の目的は、傾斜したドラムにだけ洗濯用水を給水して給水完了時に洗濯及び脱水行程を遂行できるようにしたモノタブドラム洗濯機及びその洗濯制御方法を提供することである。
【課題を解決するための手段】
【００２９】
本発明の一実施例におけるモノタブドラム洗濯機は、前方にドアが設置されて内部に傾斜したタブが一体的に形成されたキャビネットと、前記タブ内に傾斜するように設置されて給水された洗濯水で洗濯及び脱水行程を遂行するドラムと、前記ドラムの後方に軸連結されてモーターの駆動力をドラムに伝逹するドラム軸と、前記タブの外側でキャビネットに連結されてドラムを支持する上側及び下側緩衝支持手段とを具備することを特徴とする。
【００３０】
望ましくは、前記ドラムに給水された洗濯水が洗濯及び脱水行程時のドラムの遠心力によって流出されるように前記ドラムの前側周囲に適正間隔で加工された多数の流出口が設けられている。
【００３１】
望ましくは、前記ドラムの前面周囲には前記ドラムの振動低減のための流体チェンバーが設けられている。
【００３２】
望ましくは、前記ドラムの後方にはモーターと連結されたドラム軸を支持するためのベアリングと、前記ベアリングの位置へタブとドラム軸との間から水が侵入しないようにベローズ(ｂｅｌｌｏｗｓ)型のシール部材とが設けられている。
【００３３】
望ましくは、前記緩衝支持手段は、前記モーターとドラム軸とを支持するように前記タブの後方にタブと相対運動可能になるようにＸ字形に取り付けられた複数個のＵフレームと、前記Ｕフレームの各端部とキャビネットとの間に設置されたスプリング及びダンパーとを有する。
【００３４】
望ましくは、前記キャビネット内のドラム及びタブは地面に対して約20から30度で傾斜している。
【００３５】
本発明の他の実施例におけるモノタブドラム洗濯機は、前方にドアが設置されて内部に傾斜したタブが一体的に形成されたキャビネットと、前記タブ内に傾斜するように設置されて給水された洗濯水で洗濯及び脱水行程を遂行するドラムと、ドラムに給水された洗濯水を洗濯及び脱水行程時の前記ドラムの遠心力によって流出させるように、前記ドラムの前側周囲に適正間隔で加工された多数の流出口と、前記ドラムの後方に軸連結されてモーターの駆動力をドラムに伝逹するドラム軸と、前記タブの外側で垂直にキャビネットに連結されてドラムを支持する上側及び下側緩衝支持手段と、前記タブの下側の排水口に設置されて、前記流出口を通じて前記タブ及びドラムの間の流路を経て排水口に流れる洗濯水によって電気的に通電される電極センサーと、前記電極センサーによる電気的な通電でドラム内の洗濯水位を判断して、洗濯行程を制御する制御部を有することを特徴とする。
【００３６】
本発明の他の実施例におけるモノタブドラム洗濯機の洗濯制御方法は、傾斜したドラム内にだけ給水する段階と、ドラムに給水された洗濯水が一定水位以上になってドラムの前側に位置した流出口を通じて溢れると、前記ドラム及びタブの間の流路を流れる洗濯水により電気的に通電される電極センサーによって水位を感知する段階と、前記電極センサーの通電可否を制御部で感知して給水を中止して洗濯行程を進行する段階とを有することを特徴とする。
【発明の効果】
【００３７】
上述した本発明によるモノタブドラム洗濯機によれば次のような効果がある。
第一に、キャビネット内にタブを一体的に構成してタブ及びドラムを傾斜するようにし、タブに水を給水しないで傾斜したドラムにだけ給水するようにすることで、給水量が最少になって洗濯時間が短縮化される効果がある。
【００３８】
第二に、タブとキャビネットとを一体にすることにより、同一サイズであれば容量が最大となり、また、タブを軽量化設計可能とする効果がある。そして、ドラムとタブとの間の空間で洗剤泡が発生しないので一般洗剤の使用が可能となる効果がある。
【００３９】
第三に、カウントウェートを省略して液体チェンバーで置き換えることができる。
第四に、一体型なのでタブとドアとの間にガスケットを設置しなくても良い効果がある。
第五に、傾斜構造で洗濯物の投入が便利であり、また、洗濯進行中にもドア開閉を可能とする効果がある。
【発明を実施するための最良の形態】
【００４０】
図４から図７を参照して本発明のモノタブドラム洗濯機は次のように説明される。
図４から図７を参照すれば、前方にドア(108)が取り付けられて内側に傾いたタブ(102)を一体に有するキャビネット(101)と、前記タブ(102)内に傾斜して設置されて洗濯水を保持して洗濯及び脱水を遂行するドラム(103)と、ドラムの後側に接続されたドラム軸(104)と、前記ドラム軸(104)の前側及び後側の周囲回りに設置されて支持するベアリング(105)と、前記ドラム軸(104)に接続されたモーター(107)と、前記キャビネット(101)と前記タブ(102)の後側に可動に取り付けられた折曲されたＵ字形フレーム(110)との間に取り付けられるスプリング(111)及びダンパー(112)と、排水のために前記ドラム(103)の前側周囲に所定間隔で多数個が形成された流出口(131)と、前記ドラムの前側周囲において振動騷音を低減させるための一定量の流体が満たされた流体チェンバー(132)と、前記流出口(131)を通じて流出された洗濯水を外部に排出させるためにタブ底部に形成された排水口(133)とを有する構成である。
【００４１】
このような本発明によるモノタブドラム洗濯機は、添付された図面を参照して次のように説明される。
【００４２】
図４から図７を参照すれば、キャビネット(101)の内部にはタブ(102)及びドラム(103)が所定角度(約20から30度)に傾斜するように設置されて、キャビネットの前面において傾斜した構造の洗濯物投入口を開閉するためのドア(108)が設置される。
【００４３】
そして、前記タブ(102)は、円筒形状であり、前記キャビネット(101)内に傾斜した構造で一体に配置される。前記ドラム(103)は、円筒形状であり、前記タブ(102)と同一傾斜角度でタブ内に一定間隔だけ離間して設置される。
【００４４】
ここで、前記タブ(102)及びドラム(103)は空間的に互いに分離し、ドラム(103)に供給される洗濯用水がタブ(102)には流入しないでドラム(103)にだけ貯水されるようになる。
【００４５】
そして、ドア(108)は、キャビネット(101)の前面及び上面の間において、タブ(102)及びドラム(103)の傾斜した傾斜角度によって形成される傾斜面に設置される。前記ドア(108)が傾斜構造で設置されるために洗濯物の投入が便利になる。他の実施例として、ドア設置構造は使用者の利便性、構造的な安全性及び効率性によって様々な構造に変形されることもできる。
【００４６】
そして、キャビネット(101)内にタブ(102)が一体に設置されることによって、既存のようにドア(108)とタブ(102)との間に設置されるガスケットは不必要となる。また洗濯用水がタブ(102)内に貯水されないでドラム(102)内にだけ貯水され、貯水される洗濯用水の水位はドラム(103)の傾斜した角度によって生ずる高さとなる。
【００４７】
ここで、ドア(108)、タブ(102)及びドラム(103)の傾斜(Tilting)角度は、地面に対して約20から30度で殆ど同一に傾斜した構造である。実施例として、使用者に対する洗濯物の投入を便利にするために洗濯可能な条件で傾斜角度を変更することもできる。
【００４８】
図６に図示されたように、前記ドラム(103)にだけ貯水される洗濯用水は、一定水位以上になれば、流出口(131)を通じてタブ内側面(101a)に沿って流れてタブ底部の排水口(133)から排出される。このような流出口(131)は、図７に図示されたようにタブ(102)の前側周囲に沿って適正間隔で多数配置されて、ドラム(103)とタブ(103)との間を連通する排水通路となる。
【００４９】
そして、図７に図示されたように、ドラム(103)の前端面には流体チェンバー(132)を形成し、流体チェンバー(132)に流体を満たして脱水時のタブ(102)の振動を低減させる。
【００５０】
一方、図５及び図６に図示されたように、ドラム(103)の後方にはモーター(107)とドラム(103)との間を接続してモーター(107)の駆動力を伝逹するドラム軸(104)が設置され、前記ドラム軸(104)の前側及び後側周囲にはベアリング(105)が設置されてドラム軸(104)を支持する。また、前記ドラム(103)の前側ベアリング(105)と前記タブ(102)との間にはシーリングのためのベルローズ(Bellows)形のシール部材(106)が形成される。すなわち、シール部材(106)は、洗濯水がタブの下部を介してベアリング位置へ流入しないようにする。
【００５１】
そして、キャビネット内に装着されたタブ(102)の後側には、Ｘ字形に結合された複数のＵ字形フレーム(110)が取り付けられ、前記Ｕ字形フレーム(110)とキャビネットの上部とを接続する複数のスプリング(111)と、前記Ｕ字形フレーム(110)とキャビネットの下部とを接続する複数のダンパー(112)とを設置して、脱水時のタブ(102)の振動を低減可能とする。すなわち、懸架システムを直接タブ(102)に連結しないので、軽量化設計と、タブの後側のリブ省略による空間確保とが可能になる。
【００５２】
このようなモノタブドラム洗濯機の動作は次のように簡略して説明される。
図４から図７に図示されたように、キャビネット(101)の前方に傾斜面を持って設置されたドア(108)を開放してドラム(103)内に洗濯物を投入し、ドア(108)を閉めた後に洗濯物の重量に対して適正量の洗剤を洗剤箱に入れて給水口を開放すると、洗剤と一緒に洗濯用水がキャビネット(101)内に傾斜するように設置されたドラム(103)に流入される。
【００５３】
この時に図８に図示されたように、ドラム(11)に流入された洗濯用水はドラムに対して傾斜した水位に給水されて、それ以上になれば前側の流出口を(131)を通じて流出し、流出した洗濯用水はドラム(103)及びタブ(102)の間の空間、すなわち、タブの内側面(101a)に沿って下方向に流れ、タブ(102)の下端の排水口(133)から排出される。すなわち、ドラム(103)に給水された洗濯用水が溢れると、タブ(102)の最も低い位置にある排水口(133)等を通じて排出される。
【００５４】
そして、前記排水口(133)を通じて排水された洗濯用水は排水ホース(134)を通じて流れ排水ポンプ(135)によって外部に排出される。
この時、タブ(102)の下端の排水口(133)内に設置された複数個の電極センサー(133a)が通電されて、通電された結果を電気的にライン(141)により接続された制御部(140)へ伝逹することで、制御部(140)は給水を止めて洗濯行程を遂行するように制御する。
【００５５】
このような給水制御を通じて所定量の洗濯水がドラム(102)内に給水されれば、同時にドラム(102)の下部のヒーターに電力が印加されるので洗濯用水は所定の温度に至るまで加熱される。
【００５６】
その後、モーター(107)が作動し、ドラム軸(104)及びベアリング(105)を介して駆動力がドラム(103)へ伝逹されてドラム(103)を回転させる。ここでモーター(107)は直結式である場合にはタブの後方に設置され、ベルト駆動式である場合には、通常、タブの下方に設置される。
【００５７】
前記ドラム(103)が回転させられることで、その内部の洗濯物はドラム(103)のリフター(未図示)によって回転しながら上部に持ち上げられてから落ちるようになる。この時に洗濯物はドラム(103)内に溜まっている暖かい洗濯用水がドラム(103)内面に沿って流れながら洗濯物を濡らし、ドラム(103)のリフター内に流入した洗濯用水はその上端の穴を通じて落ちながら洗濯物を濡らすので、全ての洗濯物はもれなく濡らされる。
【００５８】
このように継続してドラム(103)が回転させられることによって、その内部の洗濯物がもれなく濡らされた後に洗濯が始まる。このようなドラム洗濯機は、ドラム(12)内面のリフターによって洗濯物との摩擦力を増大し、暖かい洗濯用水によって洗剤を活性化させるので洗濯効果が向上する。
【００５９】
洗濯及び濯ぎを同時に遂行して、洗濯及び濯ぎが完了した後には、脱水行程を遂行するようになり、脱水時には高速で回転するドラム(103)によりドラム内部の洗濯水が遠心力によってドラムの前側の流出口(131)を通じて流出し、タブ(102)とドラム(103)との間の傾斜面(101a)に沿って下方向に流れて、その後タブ(102)の下端の排水口(133)及びここに接続された排水ホース(134)を通じて流れ、排水ポンプ(135)によって外部に排出される。この時に、電極センサー(133a)は電気的に遮断された状態である。
【００６０】
その後、タブ(102)の上部の給水口を開放して前述の洗濯行程と同じく一定量の洗濯用水を給水した後にドラム(103)を数分間回転させて脱水させる行程を数回繰り返して濯ぎを完了する。すなわち、給水により洗濯行程を遂行した後には、排水なしに脱水行程として進行するようになる。
【００６１】
このような洗濯及び脱水行程の時に、キャビネット(101)内のタブの後側を複数個のＵ字形フレーム(110)の各端部に接続されたスプリング(111)及びダンパー(112)が支持してくれることにより、脱水時のタブの振動を減少させる。ここで、Ｕ字形フレーム(110)のベースはＸ字形で、各端部はキャビネットの各部へそれぞれ折曲されていることが望ましい。
【００６２】
このように、スプリング(111)及びダンパー(112)は、タブの外側のフレーム(110)に設置され、脱水行程を遂行する時にタブ(102)の安定的な均衡維持のためにタブ(102)に取り付けられたモーター(107)などの各種付属品を含んだ状態でのタブの重心垂直線上（ダブの重心を通りタブの中心軸線に対して垂直に）に配置されなければならない。同時に、洗濯機の軽量化とタブ(102)の後側のリブ省略による空間確保とが可能になる。
【００６３】
またドラム(103)の前面に設置された流体チェンバー(132)は洗濯物の質量が重ければ重いほど洗濯機の振動騷音を効果的に減少させることができる。
このように濯ぎと脱水とを完了した後には、ドア(18)を開いてドラム(12)内部の洗濯物を取り出し、乾燥台に入れて乾燥させる。
【００６４】
キャビネット(101)に対してタブ(102)を一体に傾くように構成することで、洗濯容量を決定する内部構成を同一サイズの洗濯機に比べて大きくすることができ、また傾いたドラム(103)にだけ貯水する構造のために、洗濯物の投入が便利で洗濯中にもドア開閉が可能となる。また洗濯水の貯水量を最少化する一方で洗濯時間を最短化させることができる。そして、タブとドラムとの間の空間に洗剤泡が存在しないので一般洗剤の使用が可能になる。
【００６５】
図９は本発明の実施例によるモノタブドラム洗濯機の洗濯制御方法を示すフローチャートである。
図９を参照すれば、傾斜したドラムにだけ洗濯用水を給水し(S101)、給水された洗濯用水が一定水位以上(傾斜水位以上)となると洗濯水が溢れるようになる。この時、ドラム前側の流出口を通して溢れる洗濯用水がタブ内側の傾斜面に沿って排水口から排出されれば、排水口内部に設置された電極センサーが通電される。この時、制御部により前記電極センサーの通電可否を確認し(S103)、その確認結果として電極センサーの通電が認識されればドラムへの給水を遮断し(S105)、洗濯行程を遂行する(S107)。洗濯行程遂行後に排水行程なしに脱水行程を遂行する(S109)。
【００６６】
このように、キャビネット(101)内にタブ(102)を一体に傾斜するように構成することで、内部構成要素等のサイズを同一洗濯機に比べて大きくすることができ、また、傾斜したドラムにだけ貯水する構造により、洗濯物の投入が便利となり、洗濯中にもドア開閉が可能になる。また、洗濯水の貯水量を最少化する一方で洗濯時間も最短化させることができる。そして、タブとドラムとの間の空間に洗剤泡が存在しないので一般洗剤の使用が可能になる。
【００６７】
またドラム(103)内にだけ給水する構造でタブ下端の排水口に電極センサー(133a)を具備し、電気的な通電で水位を感知することで水位を調節することができる。
【図面の簡単な説明】
【００６８】
【図１】従来のドラム洗濯機の断面側面図である。
【図２】従来のドラム洗濯機の正面からの透視図である。
【図３】従来のドラム洗濯機の水位感知装置を表した図である。
【図４】本発明の実施例によるモノタブドラム洗濯機の断面側面図である。
【図５】本発明の実施例によるモノタブドラム洗濯機の透視図である。
【図６】本発明の実施例によるモノタブドラム洗濯機の断面側面図である。
【図７】本発明の実施例によるモノタブドラム洗濯機の液体チェンバー(ｃｈａｍｂｅｒ)及び流出口を表した図である。
【図８】本発明の実施例によるモノタブドラム洗濯機の水位感知装置を表した構成図である。
【図９】本発明の実施例によるモノタブドラム洗濯機の洗濯制御方法を示すフローチャートである。
【符号の説明】
【００６９】
101    キャビネット
102    タブ
103    ドラム
104    ドラム軸
105    ベアリング
106    シール部材
107    モーター
108    ドア
110    Ｕ字形フレーム
111    スプリング
112    ダンパー
131    流出口
132    流体チェンバー
133    排水口
133a    電極センサー
134    排水ホース
135    排水ポンプ
140    制御部
【図１】
2005000658.tif 000003
【図２】
2005000658.tif 000004
【図３】
2005000658.tif 000005
【図４】
2005000658.tif 000006
【図５】
2005000658.tif 000007
【図６】
2005000658.tif 000008
【図７】
2005000658.tif 000009
【図８】
2005000658.tif 000010
【図９】
2005000658.tif 000011